Podtech/llm-jp-corpus-v4-ja_patent huggingface dataset:
(57)【要約】【課題】  そこで本発明は、クリップを扱いやすくする事と、クリップの位置によってパーマのかかりむらや、ロッド同士の配列が上手くまとまらない事が課題であった。【解決手段】  頭髪にパーマネントを施すためのクリップ付きパーマ用ロッド図１（ａ）は、パーマロッド本体１と半円状留め具２に、軸７を中心にバネ５による開閉クリップ３、４を設け、クリップ３はパーマロッド本体１上部一片に付いていてクリップ４は半円状留め具２上部一片に付いているこれによって簡単に思った位置で毛束を挟め、クリップの位置も邪魔にならず、施術時間を短縮し、パーマを手軽にした。【選択図】  図１
2006006884.tif 000002
【特許請求の範囲】
【請求項１】
所定の長さを有する円筒形パーマロッド本体、その本体周面に半円状の留め具、その留め具の内壁に凹凸部、軸を中心にバネによる開閉クリップ、片方のクリップはパーマロッド本体の上部一片に付いていて、もう片方のクリップは半円状の留め具上部一片に付いている、両方のクリップを引き寄せる事により、パーマロッド本体と半円状の留め具が開閉可能となったクリップ付きパーマ用ロッド。
【発明の詳細な説明】
【技術分野】
【０００１】本発明は、頭髪にパーマネントウエーブを掛ける為に用いるパーマ用ロッドに関するものである。
【背景技術】
【０００２】従来のクリップ付きパーマ用ロッドは，バネが付いていない物が有る、（例えば、特許文献１参照。）
またクリップの位置が横又は後方に突出している物が有る、（例えば、特許文献２及び３参照。）
【特許文献１】特開平１０−２３４４５７号公報（段落番号００１３、図３）
【特許文献２】特開平０６−０３８８２２号公報（実施例、図１）
【特許文献３】実開平５−７４４０１号公報（段落番号０００５、図１）
【発明の開示】
【発明が解決しようとする課題】
【０００３】上記公報に示されるクリップ付きパーマ用ロッドにはこの様な欠点がある、バネが付いていないものは素早く対応が出来ない、クリップが付いていても、横又は後方に突出していると毛束がよってしまい、かかりむらの原因や、配列が上手くまとまらない。
【課題を解決するための手段】
【０００４】所定の長さを有する円筒形パーマロッド本体１と本体周面に半円状の留め具２、留め具２の内壁に凹凸部８、軸７を中心にバネ５による開閉クリップ３、４をもうけ、クリップ３はパーマロッド本体１上部一片に付いている、もう一方のクリップ４は半円状の止め具２上部一片に付いている、こうすればバネ付きのクリップにより簡単に、毛髪を思った位置で挟めて、クリップの位置が上部にあるため、他のロッドの邪魔にならない。
【発明の効果】
【０００５】このようにすれば、頭髪をスライス、シェーピング、ペーパーを使わずそのまま思った位置図５図６、図７、図８にクリップ付きパーマ用ロッドをはさむだけ、パーマ施術時間の短縮によるお客様へのサービス向上、技術者の疲労の軽減、自分でもパーマが掛けられる。
【発明を実施するための最良の形態】
【０００６】図１は、本発明の１実施例を表すものである、この実施例においてパーマロッド本体１は所定の長さを有する円筒形をなしている、このパーマロッド本体１の周面には、所定の大きさを有する楕円形の穴６を無数開設されている、次ぎに留め具２は、パーマロッド本体１の周面を半円状に覆う用になっていて、パーマロッド本体１同様、半円状止め具２にも楕円形の穴６を開設されている、それと半円状留め具２の内壁に凹凸部８を設けている、次ぎに軸７を中心にバネ５による開閉クリップ３、４を設け、クリップ３はパーマロッド本体１の上部一片に付いている、もう一方のクリップ４は、本体周面半円状の止め具２上部一片に付いていて、図２クリップ３、４を窄める様に指で挟むと軸７を中心にクリップ３、４は狭まりクリップ３の上部に針金状の四角い輪クリップ止め９をクリップ４に掛けると、クリップは固定される、その時パーマロッド本体１と半円状留め具２は開いた状態になっている、その後、図３、図４、図５、図６の用にパーマロッド本体１と半円状留め具２の間に毛束を入れクリップ止め９を外し、クリップ３，４に掛けていた指の力をゆるめれば、バネ５による元に戻ろうとする力でクリップ３，４が開き、パーマロッド本体１と半円状留め具２が毛束１０を挟みながら元通りに閉じる、そして半円状留め具２の内壁凹凸部８により毛束をしっかりと固定、液剤をつける。
【実施例】
【０００７】図１、パーマロッド本体１は所定の長さを有する円筒形をなしている、このパーマロッド本体１の周面には、所定の大きさを有する楕円形の穴６を無数開設されている、次ぎに留め具２は、パーマロッド本体１周面を半円状に覆う用になっていて、パーマロッド本体１同様留め具２にも楕円形の穴６が開設されている、それと留め具２の内壁に凹凸部８を設け、軸７を中心にバネ５による開閉クリップ３、４を設け、クリップ３はパーマロッド本体１の上部一片に付き、クリップ４は半円状留め具２上部一片に付いている、図２クリップ３、４を窄める用に指で挟むと軸７を中心にクリップ３、４は狭まりパーマロッド本体１と半円状留め具２は開く、その開いた間に毛束１０を入れ込み図３、図４、図５、図６、クリップ３、４に掛けていた指の力をゆるめれば、バネ５による元に戻ろうとする力でクリップ３、４が開きパーマロッド本体１と半円状留め具２が毛束１０を挟みながら元通りに閉じる、そして半円状留め具２の内壁凹凸部８により毛束をしっかりと固定、これをもう一度繰り返す、図７前後に並べる、図８Ｌ字に並べる、クリップの位置が重なり合わない。
【図面の簡単な説明】
【０００８】
【図１】（ａ）クリップ付きパーマ用ロッドの全体斜視図、（ｂ）、（ａ）の側面図
【図２】（ｃ）クリップを指でつまみ、クリップ止めをし、パーマロッド本体と半円状留め具が開いた全体斜視図、（ｄ），（ｃ）の側面図
【図３】クリップ付きパーマ用ロッドで毛束の根元部分を挟み込んだ状態の側面図
【図４】クリップ付きパーマ用ロッドで毛束をスパイラル状に挟み込んだ状態の全体斜視図
【図５】クリップ付きパーマ用ロッドで毛束の毛先部分を外ハネに挟み込んだ状態の側面図
【図６】クリップを指でつまみクリップ止めをし短い毛束を根元から毛先まで巻きこんだ状態の側面図
【図７】頭髪にクリップ付きパーマ用ロッドを前後に並べて付けた状態の側面図
【図８】クリップ付きパーマ用ロッドの脇にＬ字に並べた状態を上から見た図
【符号の説明】
【０００９】  １  パーマロッド本体
２  半円状留め具
３  パーマロッド本体クリップ
４  半円状留め具クリップ
５  バネ
６  穴
７  軸
８  凹凸部
９  クリップ止め
１０  毛束
【図１】
2006006884.tif 000003
【図２】
2006006884.tif 000004
【図３】
2006006884.tif 000005
【図４】
2006006884.tif 000006
【図５】
2006006884.tif 000007
【図６】
2006006884.tif 000008
【図７】
2006006884.tif 000009
【図８】
2006006884.tif 000010
(57)【要約】【課題】足台に上下作動による開閉装置を装着した足台を提供する。【解決手段】固定金具と一体からなる主軸を設け、その主軸に上下作動出来る滑り材、その滑り材に開閉装置用アーム上部の軸を受ける軸受けを設け、更にアーム下部に足台の軸受けと連結する軸を設け、ツマミを上下させることにより足台が開閉することを特徴とする折り畳み足台。【選択図】  図２
2006006878.tif 000002
【特許請求の範囲】
【請求項１】
固定金具と一体から成る主軸を設け、その主軸に上下作動出来る筒状の滑り材、その滑り材に開閉装置用アームの上部の軸を受ける軸受けを設け、更にアーム下部に足台の軸受けと連結する軸を設け、ツマミを上下させる事ににより足台が開閉する事を特徴とする折り畳み足台。
【発明の詳細な説明】
【技術分野】
【０００１】本発明は、ツマミの上下作動により、足台を開閉させる車椅子の足台に関するものである。
【背景技術】
【０００２】従来、車椅子の足台の開閉は、直に足台に手を触れ開閉していた。
【発明の開示】
【発明が解決しようとする課題】
【０００３】そのために、次のような問題点があった。
（イ）足台に、直に手を触れて開閉するため、不衛生である。
本発明は、此の問題点を解決するためになされたものである。
【課題を解決するための手段】
【０００４】主軸を車椅子の足台支持パイプに装着する固定金具を設け、その主軸にツマミ（７）の上下作動により滑る筒状の滑り材（３）を設ける。その滑り材に足台を開閉するアーム（４）の軸受け（５）を設ける。又アームの下部に足台に装着する軸（６）を設け、その軸を受ける軸受け（８）を足台に装着する。
主軸の上部に滑り材のストッパー用スプリングボールを設けた。
【発明の効果】
【０００５】ツマミを上下させることにより足台の開閉ができ、従来のように直に足台に手を触れることもなく非常に衛生的出ある。
【発明を実施するための最良の形態】
【０００６】  以下、本発明の実施の形態について説明する。
（イ）固定金具と一体となる主軸を設ける。
（ロ）  主軸を上下できる滑り材（３）を設け、その滑り材にアーム、上部の軸を受ける軸受け（５）を設ける。
（ハ）アーム下部に足台を装着する軸（６）を設け、その軸を受ける軸受け（８）を足台に装着する。
（ニ）上下スライド用ツマミをアームの上部に設ける。
本発明は以上のような構成で、これを使用するときは、主軸を足台支持パイプに固定し、軸受け（８）を足台に装着する。
ツマミを上下作動することにより足台が開閉し、従来のように足台に、手を触れる事もなく、非常に衛生的出ある。
【実施例】
【０００７】図２に示すように、固定金具を足台支持パイプに固定し、軸受け（８）を足台に装着する。ツマミを上下作動することにより足台が開閉する。
【図面の簡単な説明】
【０００８】
【図１】  本発明の正面図
【図２】  本発明を足台に装着した実施例を示す斜視図
【符号の説明】
【０００９】  １  主軸
２  固定金具
３  滑り材
４  アーム
５  軸受け
６  軸
７  ツマミ
８  軸受け
９  スプリングボール
１０  ゴムキャツプ
【図１】
2006006878.tif 000003
【図２】
2006006878.tif 000004
(57)【要約】【課題】      近年、カラスが巣を作る際、衣料用ハンガー等を多く利用していることが判明している。これはハンガーが風等で落ちているものだけではなく、物干し竿等からカラスが持ち去って巣を作っていることが多い。又、風等で簡単にハンガーが落下する事も多い。この為に、安全なハンガーを提供したい。【解決手段】  課題を解決するため、ハンガーフック部を１回転くらいの渦巻状にすることで人の手でなければ簡単に取り外しできないハンガーを提供した。【選択図】    図１
2006006871.tif 000002
【特許請求の範囲】
【請求項１】
ハンガーのフック部が渦巻状に形成されているハンガー。
【発明の詳細な説明】
【発明の詳細な説明】
【０００１】本発明は、衣料等のハンガーのフック部が渦巻状に形成されているカラス対策と落下防止のためのハンガーである。
【技術分野】
【０００２】Ａ４７Ｇ２５／３２
【背景技術】
【０００３】従来のハンガーには、簡単にハンガーを物干し竿等にかけたり、外したりできる、カラス対策と落下防止のハンガーが無かった。
【発明が解決しようとする課題】
【０００４】近年、カラスが巣を作る際、衣料用ハンガー等を多く利用していることが判明している。これはハンガーが風等で落ちているものだけではなく、物干し竿等からカラスが持ち去って巣を作っていることが多い。又、風等で簡単にハンガーが落下する事も多い。この為に安全なハンガーを提供したい。
【課題を解決するための手段】
【０００５】課題を解決するため、ハンガーのフック部を１回転くらいの渦巻状にする事で人の手でなければ簡単に取り外しできないハンガーを提供した。
【発明を実施するための最良の形態】
【０００６】ハンガーのフック部を１回転半くらいの渦巻状にするか、１回転で最先端を小さな渦巻き状、もしくは丸型に形成する事で物干し竿等から外す際、ハンガーのフック部が物干し竿等に干渉し簡単に外す事が出来なくなった。又、風等で揺れてもフック部が１回転くらいしている為、簡単に落下を防ぐ事にも成功した。
【発明の効果】
本発明の効果により、風等でのハンガーの落下を防ぐ事に成功した。又、カラスがこのハンガーを簡単に持ち去る事も出来なくなった。
【図面の簡単な説明】
【図１】本発明の渦巻状のフックハンガーの正面図である。
【図２】発明の渦巻状のフックハンガー最先端に小さな渦巻きを形成したフックハンガーの正面図である。
【符号の説明】
１は  渦巻状のフック部である。
２は  渦巻状のフック部最先端の小さな渦巻き部である。
３は  ハンガーである。
【図１】
2006006871.tif 000003
【図２】
2006006871.tif 000004
(57)【要約】【課題】気管チューブ先端部の位置の確認と方向を修正することによって、気管チューブを短時間で気管内に挿入できる医療用器具を提供する。【解決手段】ステンレス製内視鏡を気管チューブ内に挿入し、液晶モニター上に映し出された映像と目視によって気管チューブ先端部の位置を確認し、気管チューブ先端を声門内に誘導することができる液晶モニター付き気管チューブ誘導用ステンレス製内視鏡を作成する。【選択図】図１
2006006874.tif 000002
【特許請求の範囲】
【請求項１】
液晶モニター付き気管チューブ誘導用内視鏡
【発明の詳細な説明】
【技術分野】
【０００１】  この発明は、液晶モニター付き気管チューブ誘導用内視鏡に関するものである。
【背景技術】
【０００２】  従来、気管挿管が通常の直接喉頭鏡を用いる方法では困難な患者に対して気管チューブを気管に挿管するためには可動性の先端をもつファイバー気管支鏡が使用されていた。
【発明の開示】
【発明が解決しようとする課題】
【０００３】これは次のような欠点があった。
（イ）ファイバー内視鏡が可動性であるために先端部が舌で種々の方向に押され方向が定まらなかった。
（ロ）そのため声門を探すことに時間を要した。
（ハ）短時間に気管チューブを気管に挿入できず、患者は危険な状態になりがちであった。
（ニ）ビデオカメラをファイバー内視鏡の接眼部に装着してテレビモニター上に映像を映し出す装置は大型であるため、携帯に適さず、緊急時には準備に時間がかかり、病院外での使用も不可能であった。
（ホ）本発明は、これらの欠点を除くためになされたものである。
【課題を解決するための手段】
【０００４】  本発明の内視鏡部分は、内視鏡が素早く声門に到達でき、種々のサイズの気管チューブ内への挿入を可能にし、かつ強度を持たせるために細い筒状のステンレス製とし、声門に到達し易い角度に先端を弯曲させ、管内部には光源を先端部分に誘導し、また映像を液晶モニター上に送信するための光ファイバーを挿入し、両端に対物レンズと接眼レンズを有する。接眼レンズ端はＣＣＤカメラに連結し、映像をリアルタイムに携帯用の小型液晶モニター上に映し出すことができることを最も主要な特徴とする。
本発明は、以上のような構成よりなる液晶モニター付き気管チューブ誘導用内視鏡である。
【発明の効果】
【０００５】  液晶モニター付き気管チューブ誘導用内視鏡を気管チューブ先端部まで挿入して準備する。片手で内視鏡を挿入した気管チューブを持って直接喉頭鏡で喉頭を展開し、目視下に気管チューブ先端を咽頭内に挿入する。先端が非可動性であるため方向を定めやすい。液晶モニター上の映像と目視によって気管チューブ先端部の位置と方向を修正し、気管チューブを短時間で気管内に挿入することができる。
【発明を実施するための最良の形態】
【０００６】以下、本案の実施の形態について説明する。
（イ）内視鏡を細い非可動性のステンレス製とし、先端部分を弯曲する。ステンレス円筒内に映像用と照明用の光ファイバーを通し、映像用光ファイバーの遠位端に対物レンズ、近位端に接眼レンズを取り付ける。照明用光ファイバー近位端には光源の受光部を設ける。
（ロ）接眼レンズにビデオカメラを装着する。
（ハ）ビデオカメラで撮影した映像は小型液晶モニター上で観察する。本案を使用するときは、内視鏡先端部を気管チューブの先端まで挿入し、片手で内視鏡を挿入した気管チューブを持ち、直接喉頭鏡で目視下に気管チューブを口腔内に挿入する。小型液晶モニターの映像と目視によって先端部の位置を確認し、方向を修正する。声門に到達したら気管チューブのみを素早く気管内に押し込む。
【図面の簡単な説明】
【０００７】
【図１】本発明の平面図である。
【図２】本発明の斜視図である。
【符号の説明】
【０００８】１  ステンレス製内視鏡
２  照明照射口
３  映像受信口
４  光源
５  ビデオカメラ
６  液晶モニター
【図１】
2006006874.tif 000003
【図２】
2006006874.tif 000004
(57)【要約】【課題】従来の歯ブラシは歯磨き粉と歯ブラシが別れており、歯磨き粉を歯ブラシに付ける労力が必要であった。また歯磨き粉が内蔵された歯ブラシなどが考案されたがいずれも特殊な歯磨きチューブ、歯ブラシへの歯磨き粉押し込み装置などが必要とされるもので実用化に至っていないと思われる。【解決手段】歯磨きチューブのキャップ部分に、キャップと歯ブラシが合体した歯ブラシをつける。その中に管を開け、歯磨き粉が直接歯ブラシに行き届くようにし、更には歯ブラシ時に握るやわらかなチューブ部分を保護するため、カバー付ける。また、そのカバーが回転できるようにし、歯磨き粉を手で歯ブラシに送り込めるようにする。【選択図】図１
2006006879.tif 000002
【特許請求の範囲】
【請求項１】
歯磨き用チューブのキャップ部分を歯ブラシにしたことを特徴とする歯ブラシ。
【請求項２】
前記歯ブラシは歯磨き用チューブのキャップ部分及び歯ブラシ内に開けた穴を通し歯磨き粉を直接ブラシ部分に送り出すことを特徴とする請求項１記載の歯ブラシ。
【請求項３】
請求項１の歯ブラシを装着した場合チューブ部分を覆うためのカバー。
【請求項４】
チューブカバーと歯ブラシをささえる連結部分を回転できるようにした構造。
【発明の詳細な説明】
【技術分野】
【０００１】  この発明は、歯ブラシの形状、構造に関する。
【背景技術】
【０００２】  従来の歯ブラシは歯磨き粉と歯ブラシが別れており、歯磨き粉を歯ブラシに付ける労力が必要であった。また歯磨き粉が内蔵された歯ブラシなどが考案されたがいずれも特殊な歯磨きチューブ、歯ブラシへの歯磨き粉押し込み装置などが必要とされるもので実用化にいたっていない。
【発明の開示】
【発明が解決しようとする課題】
【０００３】しかしながら、以上の技術によれば、従来の歯磨き粉チューブをそのまま使い歯磨き粉を簡単に歯ブラシに送ることができ、歯磨き粉を歯ブラシに付ける労力を省くことができる。
そこで、この発明は、歯磨きチューブが付いた歯ブラシを提供することを課題とする。
【課題を解決するための手段】
【０００４】  以上の課題を解決するために、
第一発明は、歯磨きチューブのキャップ部分に歯ブラシをとりつけたことを特徴とする歯ブラシである。
第二発明は、連結したチューブキャップと歯ブラシの内部に歯磨き粉をブラシ部分に送り出す管を開けたことを特徴とする歯ブラシである。
第三発明は、歯磨きチューブにカバーをつけ歯ブラシの柄としたことを特徴とする歯ブラシである。
第四発明は、歯磨きチューブカバーと歯ブラシをささえる連結部分を回転できるようにしたことを特徴とする歯ブラシである。
【発明の効果】
【０００５】  第一発明、または第二発明によれば、歯磨き粉を歯ブラシチューブから直接歯ブラシに内部に送れるようにし歯磨き粉を歯ブラシに付ける労力を省くことができる。
第三発明によれば歯磨きチューブについたカバーが歯ブラシの柄となり従来通りの歯磨きができる。
第四発明によれば、歯磨きチューブカバーと歯ブラシをささえる連結部分を回転できるようにし歯磨きチューブを従来通り手で押すことにより歯ブラシに容易に歯磨き粉を送ることができる。
【発明を実施するための最良の形態】
【０００６】  この発明の一実施形態を、図１に示す。
従来歯ブラシ１と歯磨き粉チューブ４は分離されているモノであり、歯磨き粉のキャップ２を４からはずし歯ブラシに歯磨き粉をつけなければならない。ところがこの図の歯磨き粉チューブ４はキャップ取り付け部分２を利用して直接ハブラシ１に取り付けられている。  また、この歯ブラシ１は内部に歯磨き粉をブラシ部分に送る管５が設けられている。
さらにはチューブ部分４にはチューブを保護するカバー３が取り付けられている。
また、そのカバー３が左右に回転できるようネジ６で固定されている。【０００７】「実施形態の効果」
歯磨き粉チューブ４が、歯磨き粉をブラシ部分に送る管５を備えた歯ブラシに直接取り付けられることによって歯磨き粉を直接、ブラシ部分７に送ることができる。また、この装置を使えば現在使われている歯磨き粉チューブをそのまま使うことができる。
さらにはチューブ部分４にチューブを保護するカバー３が取り付けられることにより、歯ブラシ使用時にチューブを保護し、チューブから余分な歯磨き粉が流れるのを防ぐことができる。
また、そのカバーが左右に回転できるようネジ６で固定されていることによって歯磨きを注入するときはカバーからはずし
手で押すことによって歯磨き粉の注入ができる。【０００８】「他の実施形態」
チューブカバーの大きさはカバーの素材によって、また歯磨きチューブの大きさによって様々なものが考えられる
【図面の簡単な説明】
【０００９】
【図１】この発明の一実施形態を示す斜視図である。
【図２】この発明の平面図である。
【符号の説明】
【００１０】      １  チューブキャップ型歯ブラシ            ２  連結部
３  チューブカバー  ４市販チューブ  ５歯磨き注入管
６  チューブカバー回転ネジ  ７ブラシ部
【図１】
2006006879.tif 000003
【図２】
2006006879.tif 000004
(57)【要約】【課題】携帯電話機等に表示される文字等が小さいために、年配者や視力の弱い人では文字確認は難しい状態にあった。これを解消するために単独に拡大レンズを持たなくても、携帯電話機等に取り付けたストラップ等の端に拡大レンズ付クリップを取り付け、文字等が大きく見えるようにする。ポケット等から機器の落下破損事故を防止し、年齢等問わず誰でもがすばやく文字確認に使用出来る拡大レンズ付クリップを提供する。【解決手段】本発明は従来のクリップ機能を兼ね備えたクリップ（１ａ）の一端に拡大レンズ（２）の周面を枠体（１ｃ）で囲繞し他端ストラップ取り付け穴（１ｂ）で構成された拡大レンズ付クリップ（１）に、ストラップ（３）等の一端吊紐体を固定し、もう一方の吊紐体を介して携帯電話機（４）等に取り付ける。【選択図】  図１
2006006875.tif 000002
【特許請求の範囲】
【請求項１】
携帯電話機等において、ディスプレイ及び操作部を見やすくする拡大レンズ付クリップを紐体等を介して携帯電話機等に取り付け、ディスプレイ及び操作部の小さい文字を素早く拡大して見ることができるようにしたことを特徴とした拡大レンズ付クリップ
【発明の詳細な説明】
【技術分野】
【０００１】携帯電話機、携帯ラジオ等に表示される文字等が小さいために、年配者や視力の弱い人では、文字確認が難しい状態にあった。
これを解消するために、単独に拡大レンズを持たなくても、携帯電話機等に、取り付けたストラップ等の、端に拡大レンズ付クリップを取り付け、文字等が大きく見えるようにする。
ポケット等から、機器の落下破損事故を防止し、年齢等問わず誰でもが、すばやく文字確認に、使用出来る拡大レンズ付クリップを提供する。
【背景技術】
【０００２】従来クリップにワッペン等を、貼り付ける為の取り付け座はあったが、拡大レンズ付クリップは、なかった。
【発明の開示】
【発明が解決しようとする課題】
【０００３】携帯電話機、携帯ラジオ等に表示される文字等が小さいために、年配者や視力の弱い人では、文字確認が難しい状態にあった。
【課題を解決しようとするための手段】
【０００４】本発明は従来のクリップ機能を兼ね備えたクリップ（１ａ）の一端に拡大レンズ（２）の周面を枠体（１ｃ）で囲繞し他端ストラップ取り付け穴（１ｂ）で構成された拡大レンズ付クリップ（１）に、ストラップ（３）等の一端吊紐体を固定しもう一方の吊紐体を介して携帯電話機（４）等に取り付ける。
【図１】
2006006875.tif 000003
【手続補正書】
【提出日】平成16年8月17日(2004.8.17)
【手続補正１】
【補正対象書類名】明細書
【補正対象項目名】全文
【補正方法】変更
【補正の内容】
【発明の詳細な説明】
【技術分野】
【０００１】携帯電話機、携帯ラジオ等に表示される文字等が小さいために、年配者や視力の弱い人では、文字確認が難しい状態にあった。
これを解消するために、単独に拡大レンズを持たなくても、携帯電話機等に、取り付けたストラップ等の、端に拡大レンズ付クリップを取り付け、文字等が大きく見えるようにする。ポケット等から、機器の落下破損事故を防止し、年齢等問わず誰でもが、すばやく文字確認に、使用出来る拡大レンズ付クリップを提供する。
【技術背景】
【０００２】従来クリップにワッペン等を、貼り付ける為の取り付け座はあったが、拡大レンズ付クリップは、なかった。
【発明が解決しようとする課題】
【０００３】携帯電話機、携帯ラジオ等に表示される文字等が小さいために、年配者や視力の弱い人では、文字確認が難しい状態にあった。
【課題を解決しようとするための手段】
【０００４】本発明は従来のクリップ機能を兼ね備えたクリップ（１ａ）の一端に拡大レンズ（２）の周面を枠体（１ｃ）で囲繞し他端ストラップ取り付け穴（１ｂ）で構成された拡大レンズ付クリップ（１）に、ストラップ（３）等の一端吊紐体を固定しもう一方の吊紐体を介して携帯電話機（４）等に取り付ける。
【図面の簡単な説明】
【０００５】
【図１】本発明の実施例による拡大レンズ付クリップの概略構成図
(57)【要約】【課題】従来の便器用敷物は厚く大きく、敷物と便器間には隙間があり年月の経過で黄ばみが目立ち不衛生で汚い。【解決手段】楕円形の布▲１▼下から上に巻き、紐▲３▼で固定する。これを便器▲６▼下部と床の接合部に覆うことを特徴とする。【選択図】図１
2006006872.tif 000002
【特許請求の範囲】
【請求項１】
便器下部と床の結合部をカバーで覆うカバー。
【請求項２】
請求項１の、巻く、広げるカバー。
【発明の詳細な説明】
【技術分野】
【０００１】この発明は、便器下部と床の接合部を覆うカバーに関するものである。
【背景技術】
【０００２】従来、便器用敷物は厚く大きく、敷物と便器間には隙間があり年月の経過で黄ばみが目立ち不衛生で汚い。
【発明の開示】
【発明が解決しようとする課題】
【０００３】これにはつぎのような問題点があった。
（イ）厚く大きい敷物は、洗濯時乾きが悪い。
（ロ）便器によりサイズが異なるため敷物が合わない。
（ハ）便器からの小水と床からの小水が便器下部と床の接合部に入り雑巾等で拭き取れない。
本発明は、以上のような欠点をなくすためになされたものである。
【課題を解決するための手段】
【０００４】（イ）前面中央部分に布を厚く巻くことで、多量な小水を吸着することを可能にし、末端に行くほど小水は少ないため布は薄く、また洗濯時は広げて干すことができる。
（ロ）異なるサイズの便器に紐で調整することにより適応できる。
（ハ）便器下部と床の接合部にカバーを覆う。
以上の構成よりなる接合部に覆うカバーである。
【発明の効果】
【０００５】カバーを覆うことで接合部は汚れにくくなる。
カバーを覆うと接合部の汚れは見えない。
【発明を実施するための最良の形態】
【０００６】以下、本発明の実施例について説明する。
（ア）楕円形の布▲１▼両端に、フック止めの紐▲２▼を縫い付ける、楕円形の布▲１▼を下から上に巻く。
（イ）紐調整▲４▼の内側に紐▲３▼を通し縫い付け固定する、反対側の同じ紐▲３▼に、フック（▲５▼ａ）を通し、紐▲３▼を紐調整▲４▼に渡す、フック（▲５▼ｂ）を紐▲３▼の端に通して縫い付け固定する。
（アイ）紐▲２▼、にフック▲５▼かける。
本カバーを、便器▲６▼下部と床の接合部に覆い、形を整える。
（ア）布地は使用目的に合うものを選ぶ。
（ア）布の形は布の厚みにより変える、三角形、菱形、円形など。
（ア）布は折り、たたむこともできる。
（イ）固定の仕方、マジックテープ、ボタン、ホック、クリップ、結ぶなど。
（イ）紐は長さ調整ができる紐を用い、布の両端に固定できるもの。
本発明は以上のような構造で本製品を使用すると、黄ばみはカバーに隠れ見えない、カバーが汚れたら取り替える。
カバーは普通用と前面用がある。
【図面の簡単な説明】
【０００７】
【図１】本発明の普通用斜視図
【図２】本発明の前面用斜視図
【図３】本発明の分解図
【符号の説明】
【０００８】▲１▼布
▲２▼紐
▲３▼紐
▲４▼紐調整
▲５▼フック
▲６▼便器
【図１】
2006006872.tif 000003
【図２】
2006006872.tif 000004
【図３】
2006006872.tif 000005
(57)【要約】【課題】赤外線サウナでの息苦しさの解消や、発汗促進のために、マジックテープで簡単に装着できるポリエステル内蔵のマスク型タオルを提供する。【解決手段】タオルをマジックテープ５で留めるマスク型１にし、顎にゴム２を取り付けることによって鼻から顎までスッポリ包み込み、隙間なく簡単に装着でき、鼻の部分を取り除いたポリエステル４を内蔵する事により息苦しさを解消したうえに発汗を促進する。肌に触れる部分はタオル生地なので肌触りは良い。【選択図】  図１
2006006873.tif 000002
【特許請求の範囲】
【請求項１】
マジックテープで簡単に装着でき、発汗を促がす為のポリエステルを息苦しくないように部分的に内蔵し肌触りの良いタオル生地で鼻から顎にかけてスッポリ包み込む。半身浴やサウナでの発汗を促がすタオル生地のマスク。
【発明の詳細な説明】
【発明の詳細な説明】
【技術分野】
【０００１】本発明は赤外線サウナの乾燥の息苦しさを解消し、なおかつ発汗を促がすようにしたものである。
【背景技術】
【０００２】従来は息苦しさの解消及び、蒸し効果を得て発汗を促がすため顔に濡らした普通のタオルを巻きつけていた。
【発明が解決しようとする課題】
【０００３】顔を普通のタオルで巻いているだけでは、はずれやすかった。そのうえ顔との間に隙間が出来てしまい頬全体を包み込む事が出来ないため、あまり発汗が期待できなかった。本発明は、この課題を解消するためになされたものである。
【課題を解決するための手段】
【０００４】マジックテープ５でとめることにより、はずれることなく簡単に装着できる。従来のタオルと同様マスクも濡らしてから使用するが、顔との隙間ができないようにタオル生地を鼻から顎までスッポリ包み込むマスク型１にしたことと鼻の部分を取り除いたポリエステル４を内蔵したことで息苦しくなく更に発汗が期待できる。ポリエステル４をタオル生地の間に挟み込む事で肌触りを損なわないようにした。
【発明を実施するための最良の形態】
【０００５】以下、本発明の実施の形態について説明する。
（イ）．マスク型１のタオル生地の顎部分にゴム２をとりつけ顎の曲線にピッタリ添う様にする。
（ロ）．マスク型１と表地３の間に鼻の部分を取り除いたポリエステル４を挟み込み縫い付ける。
（ハ）．マスク型１にマジックテープ５を縫い付ける。
【発明の効果】
【０００６】顎部分にゴム２を入れマスク型１でスッポリ頬を包み込む事により半身浴やサウナでの発汗を促がす。さらにマジックテープ５でとめるマスク型１にすることによって、はずれることなく簡単に装着でき、人それぞれの顔の形でも隙間ができず、しかも、鼻の部分を取り除いたポリエステル４を内蔵する事により息苦しくなくタオルの肌触りそのままで、さらに発汗を促進する効果を期待できるようにした。
【図面の簡単な説明】
【図１】本発明の正面図である。
【符号の説明】
１  マスク型
２  ゴム
３  表地
４  ポリエステル
５  マジックテープ
【図１】
2006006873.tif 000003
(57)【要約】      （修正有）【解決手段】移動入浴設備は設営３分の特殊簡易浴槽と簡易シャワーと浴槽の  湯温管理の可能な小型電気温水器と注排水ポンプと３時間湯温維持できる専  用の貯水タンク専用小型抗菌クーラーボックスとポータブル発電機と、すべ  て持運び可能なものとする。【効果】移動入浴車ではサービス困難な住宅状況及び高層ビルへのサービス提  供及び在宅の給湯器を使用しなくても質の高い入浴サービスを提供すること  ができる。【選択図】図１
2006006876.tif 000002
【特許請求の範囲】
【請求項１】
車載式移動入浴車の据付機材をすべてコンパクト化し在宅に持運び可能にしておる。
【請求項２】
訪問入浴に必要な機材をコンパクトに改善することにより簡単に在宅に持ち運び可能となり移動入浴車乗り入れ不可能な場所や持運び困難な住宅、高層ビルでも訪問入浴サービスの提供ができる。
【請求項３】
従来の移動入浴車の据付型給湯設備では簡易浴槽内の湯温の管理不十分であったが今回使用する在宅持込の電気温水器使用することにより簡易浴槽内の湯温の温度管理ができるようになった。
【請求項４】
特殊簡易浴槽を使用することにより従来のＦＲＰの簡易浴槽の設営時間の五分の一で設営可能でその分入浴時間へのゆとりができ質の高い入浴サービスを提供できるようになった。
【請求項５】
在宅の給湯設備使用不可でも小型給湯器持込で支障なく給湯できる。
【請求項６】
在宅電気使用不可でもコンパクト発電機使用により支障なく機材への電力供給が可能
【発明の詳細な説明】
【技術分野】
【０００１】この発明は訪問入浴サービスに用いる移動入浴設備に関する。
【背景技術】
【０００２】従来の訪問入浴サービスは移動入浴設備は図２に示すように、給湯設備据付及び貯水タンク据付型車載式移動入浴車使用および在宅の給湯設備を使用した簡易浴槽の使用が基本となっていた。
【発明の開示】
【発明が解決しようとする課題】
【０００３】しかしながら以上の車載式の移動入浴設備では高層ビル内へのホースにて給湯不可能とか道幅が狭くて車の乗り入れ困難、戸口が狭くてＦＲＰの備え付け浴槽が入らないなどの使用困難な場所がありまたそのために在宅給湯設備での簡易浴槽を使用での入浴サービスをしなければならないという弊害がおきていた。しかし都道府県によっては在宅の給湯設備使用不可ということもあり訪問入浴サービス提供への大きな壁となっていた。それと車載式簡易浴槽の場合は設置準備時間や後かたずけに３０分は時間を要していた。
そこでどんな条件にもかかわらず訪問入浴サービスの提供を問題なく可能にすることが課題である。
【課題を解決するための手段】
【０００４】以上の課題を解決するために、第一発明は簡単に在宅に持運びできる電気温水器を給湯設備として使用する。
また第二発明は車載式の貯水タンクのかわりに簡単に在宅に持運びできる抗菌性クーラーボックス６個を使用するのが特徴である。
専用のバスタブの設営が専用器具を使用して三分間と短縮することができた。後始末も数分でできる。
【発明の効果】
【０００５】第一発明、または第二発明によれば、訪問入浴サービスに必要なすべての機材を在宅に持運び可能にしたことによりどのような状況にも問題なく訪問入浴サービスの提供ができる。
【発明を実施するための最良の形態】
【０００６】この発明の一実施形態を、図１に示す。
移動入浴設備は設営３分の特殊簡易浴槽と簡易シャワーと浴槽の湯温管理の可能な小型電気温水器と注排水ポンプと３時間湯温維持できる専用の貯水タンク専用小型抗菌クーラーボックスとポータブル発電機と在宅にすべて持運び可能となっている。
【実施形態の効果】
【０００７】この実施形態によれば移動入浴車ではサービス困難な住宅状況及び高層ビルへのサービス提供及び在宅の給湯器使用不可でも質の高い入浴サービスを提供することができる。
【他の実施形態】
【０００８】図１の実施形態では、すべての機材を持運びできる訪問入浴設備ということであるが内部の機器はどのメーカーであっても支障はない。
【図面の簡単な説明】
【０００９】
【図１】この発明の一実施形態を示す斜視図である。
【図２】従来技術を示す斜視図である。
【符号の説明】
【００１０】
2006006876.tif 000003
【図１】
2006006876.tif 000004
【図２】
2006006876.tif 000005
(57)【要約】【課題】  炊飯器に炭（５）を利用する場合、それを内蓋（４）に固定させる磁石式保持具を提供する。【解決手段】  ネット（１）の両端に固定棒（２）を設け、内蓋（４）を挟むように磁石（３）で固定することを特徴とする。【選択図】    図１
2006006895.tif 000002
【特許請求の範囲】
【請求項１】
ネット（１）の両端に固定棒（２）を設け、それを磁石（３）で固定することを特徴とした磁石式保持具。
【発明の詳細な説明】
【発明の詳細な説明】
【技術分野】
【０００１】  この発明は、炊飯器に炭（５）を利用する場合、それを内蓋（４）に固定させる磁石式保持具に関するものである。
【背景技術】
【０００２】  従来、炭（５）を利用するときは、それを米の上に置いていた。
【発明が解決しようとする課題】
【０００３】  炊飯器に炭（５）を入れたときに、炭（５）に米が付着し、それを取り除く作業が煩わしかった。
本発明は、この欠点を解決するためになされたものである。
【課題を解決するための手段】
【０００４】  ネット（１）の両端に固定棒（２）を設ける。それを、内蓋（４）を挟むように磁石（３）で固定する。
本発明は、以上の構成よりなる磁石式保持具である。
【発明を実施するための最良の形態】
【０００５】  以下、本発明の実施の形態を説明する。
長方形状のネット（１）の両端に、磁力を有する金属でできた固定棒（２）を設ける。そして、炊飯器の内蓋（４）を挟むように薄型の磁石（３）で固定棒（２）を吸着させる。
本発明は、以上の構成よりなっている。
本発明を使用するときは、炭（５）をネット（１）と内蓋（４）の間に挟む。したがって、内蓋（４）を開閉しても、ネット（１）により炭（５）が固定されて米に接触することがない。
【発明の効果】
【０００６】  本発明を使用することによって、炭（５）に米が付着しないので、炭（５）に付着した米を取り除く作業が省かれる。
【図面の簡単な説明】
【図１】本発明の使用状態を示す斜視図
【図２】本発明の分解斜視図
【符号の説明】
１  ネット
２  固定棒
３  磁石
４  内蓋
５  炭
【図１】
2006006895.tif 000003
【図２】
2006006895.tif 000004
(57)【要約】【課題】近年、カラスが巣を作る際、衣服用のハンガー等を多く利用している事が判明している。これはハンガーが風等で落ちているものだけでなく、物干し竿等から、カラスが持ち去り巣を作っていることが多い。又、風等で簡単にハンガーが落下する事も多い。この為に、安全なハンガーを提供したい。【解決手段】課題を解決するため、ハンガーフック部をクリップ型にする事で、人の手でなければ、簡単に取り外しできないハンガーを提供した。【選択図】図１
2006006891.tif 000002
【特許請求の範囲】
【請求項１】
ハンガーのフック部がクリップ状に形成されているハンガー。
【発明の詳細な説明】
【発明の詳細な説明】
【０００１】本発明は、衣服用のハンガーのフック部がクリップ型に形成されているカラス対策と落下防止のハンガーである。
【技術分野】
【０００２】Ａ４７Ｇ２５／３２
【背景技術】
【０００３】従来のハンガーには、簡単にハンガーを物干し竿等にかけたり、外したり出来る、カラス対策と落下防止のハンガーが無かった。
【発明が解決しようとする課題】
【０００４】近年、カラスが巣を作る際、衣服用のハンガー等を多く利用している事が判明している。これは、ハンガーが風等で落下しているものだけで無く物干し竿等から、カラスが持ち去り巣を作っていることが多い。又、風等で簡単にハンガーが落下する事も多い。この為に安全なハンガーを提供したい。
【課題を解決するための手段】
【０００５】課題を解決する為、ハンガーのフック部をクリップ型にする事で、人の手でなければ簡単に取り外せないハンガーを提供する事に成功した。
【発明を実施するための最良の形態】
【０００６】ハンガーはプラスチック、針金等の素材が良く、フック部をクリップ型にする事で、バネの役目を果たす為、物干し竿等に簡単に取り付け、取り外しが出来、落下防止に役立った。
【発明の効果】
本発明の効果で、風等でのハンガーの落下防止に成功した又、カラスが簡単に持ち去る事も防止できた。
【図面の簡単な説明】
【図１】本発明の、クリップ型のフック部を装備したハンガーの正面図である。
【符号の説明】
１は    クリップ型のフック部である。
２は    ハンガーである。
【図１】
2006006891.tif 000003
(57)【要約】      （修正有）【課題】ユーザーが部屋（リビング）で、飾り棚としてテレビ台として、それぞれの目的で講入する家具のコーナー３点セットで左右のローボードが、テレビなどを置くコーナー部に出し入れ出きる様にする。【解決手段】テレビなどを置くコーナー部分の家具に普段使用しない空間を設け、そこに左右のローボードが納める事が出来る様にした。【選択図】図４
2006006894.tif 000002
【特許請求の範囲】
テレビなどを置く家具のコーナー３点の内、左右２点がコーナー部に入る方式。
【発明の詳細な説明】
【発明の詳細な説明】
【技術分野】
【０００１】この発明は、テレビなどを置く家具のコーナー３点セット（１つはコーナー部分で残り２つは、ローボードである）についてコーナー部分に空間をつくり、その中に２つのローボードを納めたり出したり出来るコーナー３点に関するものである。
【背景技術】
【０００２】従来のコーナー３点は、リビングルームに見晴えが良い、デザイン．収納力が良いなど、色々な理由で好きなものを消費者が講入する訳ですから大きな問題はありませんが、講入する段階で「場所を取りすぎて我家には向いてない」と思われてしまうのが欠点です。
【発明が解決しようとする課題】
【０００３】本発明はその欠点をなくすためにコーナー３点のテレビなどを置くコーナー部以外のローボード２つを１時的に消せる（見えないに近づける）方法を課題として研究をすすめた。
【課題を解決する為の手段】
【０００４】２つのローボードが、じゃまと感じた時、どこかへスムーズに移動させたいが、どこへもって行ってもじゃまですので、テレビなどを置くコーナー部分に普段は使わないスペースを設け、そこに納める事が最上であることを発見した。
【発明を実施するための最良の形態】
【０００５】本発明を実施する為に、最初は紙を切って動かし、検討しました。機能面が優先してデザインが落ちない様、デッサンし設計を行った後、試作しました。
検討内容は、天板が重ならない分だけローボードの高さを下げ、左右方向のみに移動しやすい戸車を付ける事、又、テレビなどを置くコーナー部分には普段は使わない、かくれたスペースを利用する事を検討しました。
【発明の効果】
【０００６】スペースを確保する為にローボードをコーナー部に納めたまま使用しても、それはそれで、中身が見えないプライベートボックスみたいになりますし、日常は飾り棚として、ローボード出したまま使用しても、見晴え良いです。又、ローボード後方を掃除しやすくなりました。
【図面の簡単な説明】
【図１】本発明のテレビなどを置くコーナー部分のみの立体図
【図２】コーナー部分の天面図
【図３】コーナー部分に左右ローボードを収納した図面
【図４】コーナー部分から左右ローボードを引き出した図面
【符号の説明】
（１）は引き手  （２）は戸車
（３）は動かす方向を示す矢印
【図１】
2006006894.tif 000003
【図２】
2006006894.tif 000004
【図３】
2006006894.tif 000005
【図４】
2006006894.tif 000006
(57)【要約】【課題】  キャップ状の爪カバーを犬猫の爪のみに対応させて形成し、シアノアクリレート系等の瞬間接着剤を開口部から注入して固定するものがあるが、爪カバーは開口部が狭いため、細いノズルを使用したとしても所定量の接着剤を注入する動作は比較的難しく、接着剤をキャップの外側等の好ましからぬ個所に付着させてしまう等の不都合が生じやすい。【解決手段】  そこで本発明では、軟質プラスチックにより先端の閉じたキャップ状の爪カバー本体１を形成し、この爪カバー本体内の先端側に、接着剤３を充填して圧力により破壊可能なカプセル４を配置した動物用爪カバーを提案する。【選択図】      図３
2006006149.tif 000002
【特許請求の範囲】
【請求項１】
軟質プラスチックにより先端の閉じたキャップ状の爪カバー本体を形成し、この爪カバー本体内の先端側に、接着剤を充填して圧力により破壊可能なカプセルを配置したことを特徴とする動物用爪カバー
【請求項２】
カプセルとして、マイクロカプセルを用いることを特徴とする請求項１に記載の動物用爪カバー
【請求項３】
接着剤として、シアノアクリレート系接着剤を用いることを特徴とする請求項１に記載の動物用爪カバー
【発明の詳細な説明】
【技術分野】
【０００１】
本発明は、動物、特に犬や猫のように室内で飼う動物用の爪カバーに関するものである。
【背景技術】
【０００２】
犬や猫の鋭い爪が、家具や衣服を傷つけたり、あるいは飼い主や、場合によっては自身を傷つけてしまうことがあることから、これらの爪に被せる爪カバーが従来から提案されている。
【０００３】
例えば特許文献１、特許文献２には、爪カバーに紐を通す穴を形成し、その穴に通した紐を犬猫の足に結んで固定するものが記載されている。
また特許文献３には、爪カバーの縁側に面ファスナー等を設けた帯を取付け、これによって犬猫の足に固定するものが記載されている。
【特許文献１】特開２００３−１５３６３８号公報
【特許文献２】特開２００３−３１９７３０号公報
【特許文献３】特開２００３−３３９２６５号公報
【発明の開示】
【発明が解決しようとする課題】
【０００４】
これらの従来技術の爪カバーは、いずれも紐や帯等を用いて犬猫の足に固定するので、犬猫に違和感を感じさせてしまう。
【０００５】
このような違和感を感じさせないようにするために、キャップ状の爪カバーを犬猫の爪のみに対応させて形成し、シアノアクリレート系等の瞬間接着剤により固定するものも提案されている。
【０００６】
この従来技術においては、接着剤による固定を行うために、まず接着剤容器内の接着剤を所定量だけ爪カバー内に注入する動作を行い、その後、犬猫の爪を入れて接着を行う動作を行う。
【０００７】
しかしながら爪カバーは開口部が狭いため、細いノズルを使用したとしても所定量の接着剤を注入する動作は比較的難しく、接着剤をキャップの外側等の好ましからぬ個所に付着させてしまう等の不都合が生じやすい。
本発明はこのような課題を解決することを目的とするものである。
【課題を解決するための手段】
【０００８】
上述した課題を解決するために本発明では、軟質プラスチックにより先端の閉じたキャップ状の爪カバー本体を形成し、この爪カバー本体内の先端側に、接着剤を充填して圧力により破壊可能なカプセルを配置した動物用爪カバーを提案する。
【０００９】
そして本発明は、上記構成において、カプセルとして、マイクロカプセルを用いることを提案する。
【００１０】
また本発明では、上記構成において、接着剤として、シアノアクリレート系接着剤を用いることを提案する。
【発明の効果】
【００１１】
本発明の爪カバーでは、開口部から動物の爪を入れた後、爪カバー本体の外側を押圧してカプセルを破壊することにより、充填されている接着剤を流出させ、こうして爪カバー本体の内壁と動物の爪とを接着剤により固定することができる。
【００１２】
また本発明の爪カバーでは、上記とは逆に、爪カバー本体の外側を押圧してカプセルを破壊し、充填されている接着剤を流出させた後に、開口部から動物の爪を入れて、爪カバー本体の内壁と動物の爪とを接着剤により固定することもできる。
【００１３】
本発明の爪カバーは、上記いずれの手順を採るにしても、接着剤を爪カバー本体の狭い開口部から内側に注入する必要がないので、接着剤をキャップの外側等の好ましからぬ個所に付着させてしまう等の不都合を起こさず、手軽な動作で、犬猫等の動物の爪に爪カバーを装着することができる。
【実施例１】
【００１４】
次に本発明の実施例を添付図面を参照して説明する。
図１〜図４は本発明に係る爪カバーの実施例を示すものである。図１、図２は爪カバー本体を示すもので、図１は縦断説明図、図２は図１のＡ−Ａ線矢視図である。
符号１は軟質プラスチックにより形成した爪カバー本体であり、この実施例の爪カバー本体１は扁平なキャップ状に形成され、先端側を閉じるとともに元側に開口部２を形成している。
【００１５】
しかして本発明では、この爪カバー本体１内の先端側に、接着剤３を充填していて、圧力により破壊可能なカプセル４を配置して爪カバーを構成する。
【００１６】
接着剤３としては、例えば医療用等に使用されているシアノアクリレート系接着剤を使用するのが好適であり、またカプセル４は、必要な量の接着剤３を一つのカプセルで賄える大きさのものから、微細なカプセル、いわゆるマイクロカプセルまで、適宜の大きさのものを適用することができる。
【００１７】
以上の構成において、本発明では爪カバーでは、例えば、図４に示すように、開口部２から犬猫等の動物の爪５を入れた後、爪カバー本体１の外側を押圧してカプセル４を破壊することにより、充填されている接着剤３を流出させることができ、こうして爪カバー本体１の内壁と動物の爪５とを接着剤３により固定することができる。
【００１８】
また本発明の爪カバーでは、上記とは逆に、爪カバー本体１の外側を押圧してカプセル４を破壊し、充填されている接着剤３を流出させた後に、開口部２から爪５を入れて、爪カバー本体１の内壁と爪５とを接着剤により固定するという手順を採ることもできる。
【産業上の利用可能性】
【００１９】
本発明は以上の通りであるので、接着剤を爪カバー本体の狭い開口部から内側に注入する必要がないので、接着剤をキャップの外側等の好ましからぬ個所に付着させてしまう等の不都合を起こさず、手軽な動作で、犬猫等の動物の爪に爪カバーを装着することができ、産業上の利用の可能性が大である。
【図面の簡単な説明】
【００２０】
【図１】爪カバー本体の縦断説明図である。
【図２】図１のＡ−Ａ線矢視図である。
【図３】爪カバー本体にカプセルを配置して爪カバーとして構成した状態の縦断説明図である。
【図４】爪カバーを動物の爪に装着した状態の縦断説明図である。
【符号の説明】
【００２１】
１          爪カバー本体
２          開口部
３          接着剤
４          カプセル
【図１】
2006006149.tif 000003
【図２】
2006006149.tif 000004
【図３】
2006006149.tif 000005
【図４】
2006006149.tif 000006